(57)【要約】【課題】スコップ投入開始時等にあっては、位置変更機構により上記袋口部が斜め上向きに開口する斜め上向位置に位置変更させることによりスコップ等による粉粒状物の投入方向に適合することができ、容易に投入袋積め作業を行うことができ、例えば投入終了近間にあっては、上記支柱体を揺動させて上記吊下枠体を上記袋口部が上方に開口する上向位置に位置変更させることにより袋体内に満杯に近く粉粒状物を詰入することができ、一人の作業者により一層容易に袋詰め作業を行うことができる。【解決手段】設置体１に支柱体２を立設し、支柱体に籾殻や肥料等の粉粒状物Ｍを詰入可能な袋体Ｗを袋口部Ｗ1を上にして吊下状に開口支持可能な吊下枠体３を設けてなり、上記支柱体を揺動させて上記吊下枠体を上記袋口部が上方に開口する上向位置Ｓ及び上記袋口部が斜め上向きに開口する斜め上向位置Ｆに位置変更させる位置変更機構４を設けてなる。【選択図】図１
2005040111.tif 000002
【特許請求の範囲】
【請求項１】
設置体に支柱体を立設し、該支柱体に籾殻や肥料等の粉粒状物を詰入可能な袋体を袋口部を上にして吊下状に開口支持可能な吊下枠体を設けてなり、上記支柱体を揺動させて上記吊下枠体を上記袋口部が上方に開口する上向位置及び上記袋口部が斜め上向きに開口する斜め上向位置に位置変更させる位置変更機構を設けてなることを特徴とする籾殻や肥料等の粉粒状物袋詰補助具。
【請求項２】
上記位置変更機構として、上記設置体に上記支柱体を支点軸により揺動自在に立設し、上記吊下枠体を上記袋口部が上方に開口する上向位置及び上記袋口部が斜め上向きに開口する斜め上向位置に停止保持可能な位置規制機構を設けてなることを特徴とする請求項１記載の籾殻や肥料等の粉粒状物袋詰補助具。
【請求項３】
上記袋体を袋口部を上にして上記吊下枠体に吊下状に開口支持可能な挟着具を設けてなることを特徴とする請求項１又は２記載の籾殻や肥料等の粉粒状物袋詰補助具。
【発明の詳細な説明】
【技術分野】
【０００１】
本発明は例えば籾殻や肥料、わら屑、木材チップ等の粉粒状物を袋詰めする際に用いられる籾殻や肥料等の粉粒状物袋詰補助具に関するものである。
【背景技術】
【０００２】
従来この種の籾殻や肥料、わら屑、木材チップ等の粉粒状物の袋詰めに際しては、一人の作業者が袋体を開口握持し、もう一人の作業者がスコップ等を用いて、籾殻や肥料等の粉粒状物を掬って袋体内に投入するようにしている。
【特許文献１】特願２００２−１９１４９９号
【発明の開示】
【発明が解決しようとする課題】
【０００３】
しかしながら上記の如く、袋詰めに際しては、作業者が二人必要となり、二人掛かりの作業となるため非能率的であるという不都合を有している。
【課題を解決するための手段】
【０００４】
本発明はこれらの不都合を解決することを目的とするもので、本発明のうちで、請求項１記載の発明は、設置体に支柱体を立設し、該支柱体に籾殻や肥料等の粉粒状物を詰入可能な袋体を袋口部を上にして吊下状に開口支持可能な吊下枠体を設けてなり、上記支柱体を揺動させて上記吊下枠体を上記袋口部が上方に開口する上向位置及び上記袋口部が斜め上向きに開口する斜め上向位置に位置変更させる位置変更機構を設けてなることを特徴とする籾殻や肥料等の粉粒状物袋詰補助具にある。
【０００５】
又、請求項２記載の発明は、上記位置変更機構として、上記設置体に上記支柱体を支点軸により揺動自在に立設し、上記吊下枠体を上記袋口部が上方に開口する上向位置及び上記袋口部が斜め上向きに開口する斜め上向位置に停止保持可能な位置規制機構を設けてなることを特徴とするものであり、又、請求項３記載の発明は、上記袋体を袋口部を上にして上記吊下枠体に吊下状に開口支持可能な挟着具を設けてなることを特徴とするものである。
【発明の効果】
【０００６】
本発明は上述の如く、請求項１記載の発明にあっては、吊下枠体に袋体を袋口部を上にして吊下状に開口支持することができ、例えば、野積み状態の籾殻や肥料、わら屑、木材チップ等の粉粒状物をスコップ等を用いて袋体内に投入することができ、このため、一人の作業者により袋詰め作業を行うことができ、袋詰め作業を容易に行うことができ、しかも、スコップ投入開始時等にあっては、位置変更機構により上記袋口部が斜め上向きに開口する斜め上向位置に位置変更させることによりスコップ等による粉粒状物の投入方向に適合することができ、容易に投入袋積め作業を行うことができ、例えば投入終了近間にあっては、上記支柱体を揺動させて上記吊下枠体を上記袋口部が上方に開口する上向位置に位置変更させることにより袋体内に満杯に近く粉粒状物を詰入することができ、一人の作業者により一層容易に袋詰め作業を行うことができる。
【０００７】
又、請求項２記載の発明にあっては、上記位置変更機構として、上記設置体に上記支柱体を支点軸により揺動自在に立設し、上記吊下枠体を上記袋口部が上方に開口する上向位置及び上記袋口部が斜め上向きに開口する斜め上向位置に停止保持可能な位置規制機構を設けてなるから、支柱体を支点軸を中心として揺動させるだけて袋体を上向位置及び斜め上向位置に確実に停止保持することができ、一層容易に袋詰め作業を行うことができ、又、請求項３記載の発明にあっては、上記袋体を袋口部を上にして上記吊下枠体に吊下状に開口支持可能な挟着具を設けてなるから、袋体の袋口部を吊下枠体に確実に吊下保持することができ、一層容易に袋詰め作業を行うことができる。
【発明を実施するための最良の形態】
【０００８】
位置変更機構により上記袋口部が斜め上向きに開口する斜め上向位置に位置変更させることによりスコップ等による粉粒状物の投入方向に適合することができ、容易に投入袋積め作業を行うことができ、例えば投入終了近間にあっては、上記支柱体を揺動させて上記吊下枠体を上記袋口部が上方に開口する上向位置に位置変更させることにより袋体内に満杯に近く粉粒状物を詰入することができ、一人の作業者により一層容易に袋詰め作業を行うことができる。
【実施例】
【０００９】
図１乃至図５は本発明の実施の形態例を示し、１は設置体であって、板状に形成され、この設置体１に支柱体２を立設し、支柱体２に合成樹脂袋や麻製等の袋体Ｗを袋口部Ｗ1を上にして吊下状に開口支持可能な四角枠状の吊下枠体３を支持杆３ａを介して設けて構成している。
【００１０】
４は位置変更機構、５は位置規制機構であって、この場合、設置体１に平断面コ状の取付部材６を固定立設し、取付部材６に上記支柱体２の下部を支点軸７により左右角度揺動自在に枢着連結し、設置体１上に支持部材８を固定配置し、支持部材８に規制ボルト９を螺着し、上記支柱体２を支点軸７を中心にして揺動させて取付部材６の壁部６ａに支柱体２の一方側面が当接したとき上記吊下枠体３を上記袋口部Ｗ1が上方に開口する上向位置Ｓに位置停止保持し、上記支柱体２を支点軸７を中心にして反対方向に揺動させて規制ボルト９に支柱体２の他方側面が当接したとき上記袋口部Ｗ1が斜め上向きに開口する斜め上向位置Ｆに位置停止保持するように構成している。
【００１１】
１０は挟着具であって、クリップ状に形成され、この挟着具１０により上記袋体Ｗを袋口部Ｗ1を上にして上記吊下枠体３に吊下状に挟着支持するように構成している。
【００１２】
この実施の形態例は上記構成であるから、吊下枠体３に袋体Ｗを袋口部Ｗ1を上にして吊下状に開口支持することができ、例えば、野積み状態の籾殻や肥料、わら屑、木材チップ等の粉粒状物Ｍをスコップ等を用いて袋体内に投入することができ、このため、一人の作業者により袋詰め作業を行うことができ、袋詰め作業を容易に行うことができ、しかも、スコップ投入開始時等にあっては、図４の如く、位置変更機構４により上記袋口部Ｗ1が斜め上向きに開口する斜め上向位置Ｆに位置変更させることによりスコップ等による粉粒状物Ｍの投入方向に適合することができ、容易に投入袋積め作業を行うことができ、又、図５の如く、例えば投入終了近間にあっては、上記支柱体２を揺動させて上記吊下枠体３を上記袋口部Ｗ1が上方に開口する上向位置Ｓに位置変更させることにより袋体Ｗ内に満杯に近く粉粒状物を詰入することができ、一人の作業者により一層容易に袋詰め作業を行うことができる。
【００１３】
又、この場合、上記位置変更機構４として、上記設置体１に上記支柱体２を支点軸７により揺動自在に立設し、上記吊下枠体３を上記袋口部Ｗ1が上方に開口する上向位置Ｓ及び上記袋口部Ｗ1が斜め上向きに開口する斜め上向位置Ｆに停止保持可能な位置規制機構５を設けてなるから、支柱体２を支点軸７を中心として揺動させるだけて袋体Ｗを上向位置Ｓ及び斜め上向位置Ｆに確実に停止保持することができ、一層容易に袋詰め作業を行うことができ、又、この場合、上記袋体Ｗを袋口部Ｗ1を上にして上記吊下枠体３に吊下状に開口支持可能な挟着具１０を設けてなるから、袋体Ｗの袋口部Ｗ1を吊下枠体３に確実に吊下保持することができ、一層容易に袋詰め作業を行うことができる。
【００１４】
尚、本発明は上記実施の形態例に限られるものではなく、設置体１、支柱体２、吊下枠体３、位置変更機構４，位置規制機構５、挟着具１０の構造や材質等は適宜変更して設計される。
【００１５】
以上、所期の目的を充分達成することができる。
【図面の簡単な説明】
【００１６】
【図１】本発明の実施例の全体斜視図である。
【図２】本発明の実施例の分解斜視図である。
【図３】本発明の実施例の使用状態の斜視図である。
【図４】本発明の実施例の使用状態の側面図である。
【図５】本発明の実施例の使用状態の側面図である。
【符号の説明】
【００１７】
Ｗ    袋体
Ｗ1    袋口部
Ｓ    上向位置
Ｆ    斜め上向位置
Ｍ    粉粒状物
１    設置体
２    支柱体
３    吊下枠体
４    位置変更機構
５    位置規制機構
１０    挟着具
【図１】
2005040111.tif 000003
【図２】
2005040111.tif 000004
【図３】
2005040111.tif 000005
【図４】
2005040111.tif 000006
【図５】
2005040111.tif 000007